(57)【要約】【課題】本体に設けられたハンドルが回動及び折畳まれ、使用者の身体条件や掃除環境によりハンドルの方向や長さが調節されることで使用に便利な真空掃除機を提供する。【解決手段】本発明による真空掃除機は、本体と、前記本体の外側に間隔を置いて設けられる第１支持部及び第２支持部と、前記第１支持部と前記第２支持部との間に結合するハンドルと、からなるハンディタイプ真空掃除機において、前記ハンドルは、一端が第１支持部に回動可能に設けられ、他端が第２支持部に脱着可能に設けられることを特徴とする。【選択図】図２
2015006304.tif 000002
【特許請求の範囲】
【請求項１】
本体と、
前記本体の外側に間隔を置いて設けられた第１支持部及び第２支持部と、
前記第１支持部と前記第２支持部との間に結合されるハンドルと、からなる真空掃除機において、
前記ハンドルの一端は前記第１支持部に回動可能に設けられ、他端は前記第２支持部に脱着可能に設けられたことを特徴とする真空掃除機。
【請求項２】
前記ハンドルは、一端が前記第１支持部に回動可能に設けられた内側棒と、
前記内側棒の長さ方向の外注面に沿ってスライド移動する外側棒と、を含むことを特徴とする請求項１に記載の真空掃除機。
【請求項３】
前記ハンドルの前記内側棒には、一側の外面に長さ方向に連続するガイド穴が形成され、外力が加えられると内側方向に入り込み、外力が除去されると元の状態に復帰する固定突起が形成されることを特徴とする請求項２に記載の真空掃除機。
【請求項４】
前記内側棒には内部ホームが設けられ、前記外側棒には補助突起が形成されていることを特徴とする請求項２に記載の真空掃除機。
【請求項５】
前記外側棒は、一側に前記内側棒の固定突起が挿入される複数の長さ調節穴が形成され、前記内側棒の長さ方向に沿ってスライド移動しながら前記ハンドルの長さが多段階に調節されることを特徴とする請求項２または３に記載の真空掃除機。
【請求項６】
前記外側棒は、一側の内面に前記内側棒のガイド穴に沿って移動するガイド突起が形成されることを特徴とする請求項２に記載の真空掃除機。
【請求項７】
前記第２支持部は、上端にノッチ部が形成されたストッパと、前記ストッパの一側を支持する支柱部と、前記ストッパとヒンジ結合するボタンと、からなる脱着手段をさらに含むことを特徴とする請求項１に記載の真空掃除機。
【発明の詳細な説明】
【技術分野】
【０００１】
本発明は、真空掃除機に関し、詳しくは、本体に設けられたハンドルが回動及び折畳まれて使用者の身体条件や掃除環境によってハンドルの方向及び長さが調節されるので、掃除環境に合わせて便利に把持することができるハンディタイプの真空掃除機(vacuum cleaner)に関する。
【背景技術】
【０００２】
真空掃除機は、本体に内蔵のファン(Fan)を駆動することで吸入力を発生し、この吸入力によりほこりなどの異物が含まれた空気を吸入して集塵し、内蔵されたフィルタによって濾過されたきれいな空気を外部へ排出する掃除装置である。
【０００３】
このような真空掃除機は、その形態からキャニスタータイプ(Canister Type)、アップライトタイプ(Upright Type)、ハンディタイプ(Handy Type)に区分される。
【０００４】
そして、ハンディタイプ真空掃除機は、本体の外側に使用者が手で把持しやすくするためにハンドルが設けられており、ハンドルは通常手で把持する棒と、棒の一端を本体に固定する支持部と、で構成される。
【０００５】
このように本体の支持部にハンドルが固定された、従来のハンディタイプ真空掃除機は特許文献１に開示されている。
【０００６】
また、本体に結合して回動するハンドルが備えられた、ハンディタイプ真空掃除機は特許文献２に開示されている。
【先行技術文献】
【特許文献】
【０００７】
【特許文献１】大韓民国実用新案第２０−０４４７９５７号明細書
【特許文献２】大韓民国特許第１０−３８９２８９号明細書
【発明の概要】
【発明が解決しようとする課題】
【０００８】
しかしながら、上記のようにハンドルが本体の支持部に固定されているか、または回動だけが可能な場合は、清掃機使用者の身体条件や掃除環境を考慮してハンドルの方向や長さを調節することができなかった。
【０００９】
したがって、従来のハンディタイプ真空掃除機は、使用する際に使用者が身体や手首を過度に捻ることになるので、長期間使用すると使用者に疲労を加重させる問題点があった。
【００１０】
また、従来のハンディタイプ真空掃除機は、長さが固定されているため、ハンドルを把持した状態では掃除範囲が狭く、また隅々まで掃除できない不便さがあった。
【００１１】
したがって、本発明は上記のような実情に鑑みてなされたものであり、本体に用意されたハンドルの方向及び長さを使用者の身体条件や掃除環境に従って調節することができないため、使用に不便であるという問題を解消させるハンディタイプ真空掃除機を提供することを目的とする。
【課題を解決するための手段】
【００１２】
上記目的を達成するための本発明によるハンディタイプ真空掃除機は、本体と、前記本体の外側に間隔を置いて設けられた第１支持部及び第２支持部と、前記第１支持部と前記第２支持部との間に結合するハンドルと、からなる真空掃除機において、前記ハンドルは、一端が第１支持部に回動可能に設けられ、他端は第２支持部に脱着可能に設けられた。
【００１３】
また、前記ハンドルは、一端が第１支持部に回動可能に設けられた内側棒と、前記内側棒の長さ方向外注面に沿ってスライド移動する外側棒と、を含む。
【００１４】
前記ハンドル内側棒の一側面には長さ方向に連続するガイド穴が形成され、外側棒には前記ガイド穴に沿って移動するガイド突起が備えられる。
【００１５】
前記内側棒には、外力が加えられると内側方向に入り込み、外力が除去されると元の状態に復帰する固定突起が形成される。
【００１６】
一方、前記ハンドル内側棒の他端には内部ホームが形成されていて、前記外側棒の他端内側には補助突起が形成されている。
【００１７】
また、前記外側棒は、内面に内側棒のガイド穴に沿って移動するガイド突起が形成され、前記内側棒の固定突起が挿入される複数の長さ調節穴が形成される。
【００１８】
したがって、前記内側棒の長さ方向に沿ってスライド移動しながら前記外側棒の一側に形成された複数の長さ調節穴に前記内側棒の固定突起が挿入されることにより前記ハンドルの長さが多段階に細分化して調節される。
【００１９】
そして、前記第２支持部は、上端にノッチ部が形成されたストッパと、前記ストッパの下端の後方を支持する支柱部と、前記ストッパとヒンジ結合するボタンと、からなる脱着手段をさらに含む。
【発明の効果】
【００２０】
本発明による真空掃除機のハンドルは、前記第１支持部と前記第２支持部との間においてハンドルの回動及び折り畳みが行われるように、一端が第１支持部に回動可能に設けられ、他端が第２支持部に脱着可能に設けられることで使用者の身体条件や掃除環境に合わせてハンドルを回動及び折り畳んで使用することができる。
【００２１】
また、ハンドルの方向及び長さを調節することができるので、ハンドルの把持がしやすく、使用者に対する疲労を低減させると共に、ハンドルの長さ調節が可能で清掃機の使用範囲を広げることができ、清掃機の使用が容易となる。
【図面の簡単な説明】
【００２２】
【図１】本発明による真空掃除機においてハンドルの折り畳み状態を示す例示図である。
【図２】本発明による真空掃除機においてハンドルの伸張する関係を説明するための例示図である。
【図３Ａ】本発明による真空掃除機においてハンドルがロッキングされる関係を説明するための例示図である。
【図３Ｂ】本発明による真空掃除機においてハンドルのロッキングが解除される関係を説明するための例示図である。
【図４Ａ】本発明による真空掃除機においてハンドルの長さ調節を説明するための例示図である。
【図４Ｂ】本発明による真空掃除機においてハンドルの長さ調節を説明するための例示図である。
【発明を実施するための形態】
【００２３】
以下において、本発明による好適な実施形態を、図面を参照して詳しく説明する。
【００２４】
図１に示すように、本発明による真空掃除機１００は、本体１１０、第１支持部１３０、第２支持部１４０、及びハンドル１５０を含む。
【００２５】
前記本体１１０は、上下に分離できるように、上部ハウジング（図示せず）と下部ハウジング（図示せず）とで構成される。
【００２６】
前記本体１１０の底、すなわち、下部ハウジングの底には空気吸入のための空気導入口（図示せず）が設けられ、前記空気導入口の前方には、本体１１０の先端から本体１１０の長さ方向に沿って複数の吸着防止通路（図示せず）が形成されている。
【００２７】
ここで、前記本体１１０の底には補強のためのリブ（図示せず）が複数個設けられ、吸着防止通路は本体１１０の底に用意された複数のリブとの間に形成されている。
【００２８】
そして、前記本体１１０の内部には、空気の吸入力を発生するファン（図示せず）及び空気中の異物を濾過するフィルタユニット（図示せず）がそれぞれ設けられている。
【００２９】
前記ファン及び前記フィルタユニットは、通常の真空掃除機に適用するものと等しいものなので、前記ファン及び前記フィルタユニットに関する詳細な説明は省略する。
【００３０】
本発明によるハンドル組立体１２０は、回動しながらハンドル１５０の長さが伸縮される構造であって、第１支持部１３０と第２支持部１４０及びハンドル１５０とを含む。
【００３１】
前記第１支持部１３０は一端が本体１１０の後方に設けられ、他端にはハンドル１５０の一端が挿入されるホーム１３１が形成されている。
【００３２】
一方、前記ホーム１３１には、ハンドル１５０の一端が挿入された状態において、これらを貫通して直交する方向にヒンジ１３２を嵌め込むことで、ハンドル１５０と前記ホーム１３１とが締結される。
【００３３】
したがって、ホーム１３１に締結されるハンドル１５０は、ヒンジ１３２を中心に本体１１０の前後方に回動することができる。
【００３４】
前記第２支持部１４０の一端は本体１１０の上面に固定され、第２支持部１４０の他端にはハンドル１５０の他端が安着することができる安着ホーム１４１が形成されている。
【００３５】
前記第２支持部１４０には、前記安着ホーム１４１に安着される前記ハンドル１５０をロッキングまたはロッキング解除する脱着手段（図示せず）が設けられている。
【００３６】
前記脱着手段は、ストッパ１４２、ヒンジ１４３、支柱部１４５、及びボタン１４４を含む。
【００３７】
前記ストッパ１４２は、前記第２支持部１４０の内部に配置され、一端がヒンジ１４３により回動可能に設けられ、他端にはホック状を有するノッチ部１４２ａが設けられている。
【００３８】
前記ノッチ部１４２ａは、第２支持部１４０の安着ホーム１４１の外部に露出され、安着ホーム１４１に密着するハンドル１５０の外側棒１５５に用意されたノッチホーム１５５ａに挿入されてハンドル１５０をロッキング状態とする。
【００３９】
前記ボタン１４４は、第２支持部１４０の外部に露出され、前記ストッパ１４２の一端に接続されていて、前記ノッチホーム１５５ａに結合されたノッチ部１４２ａのロッキングを解除する役割をする。
【００４０】
一方、本発明における脱着手段は、ストッパ１４２及びボタン１４４によってハンドル１５０をロッキングまたはロッキング解除するものとして説明したが、これに限らず、第２支持部１４０からハンドル１５０をロッキングまたはロッキング解除することができる構造であればいずれでも構わない。
【００４１】
前記支柱部１４５は、ストッパ１４２一端の後方を支持し、ボタン１４４の操作時にストッパ１４２の一端が後方に押されるのを防止する。
【００４２】
前記ハンドル１５０は内側棒１５１と外側棒１５５とで構成される。
【００４３】
前記内側棒１５１は、一端が第１支持部１３０のホーム１３１に締結され、内側棒１５１の長さ方向に沿って貫通されるガイド穴１５２が形成されている。
【００４４】
前記ガイド穴１５２は、後述する外側棒１５５のガイド突起１５６が挿入されると、内側棒１５１の外側に結合された外側棒１５５を引っ張るとガイド突起１５６が前記ガイド穴１５２の一端に掛かるので、内側棒１５１上において外側棒１５５の伸張が制限されることになる。
【００４５】
そして、前記内側棒１５１の他端には、一側に外力が加えられると内側方向に入り込み、外力が除去されると元の状態に復帰する固定突起１５３が設けられる。
【００４６】
前記固定突起１５３が、後述する外側棒１５５の第１長さ調節穴１５８または第２長さ調節穴１５９の何れかに嵌められると、内側棒１５１上に外側棒１５５が固定される。
【００４７】
そして、前記内側棒１５１は、他端に内部ホーム１５４がさらに備えられる。
【００４８】
前記内側棒１５１の内部ホーム１５４内に、後述する外側棒１５５の補助突起１５７が嵌められると、内側棒１５１に外側棒１５５が結合された状態となり、外側棒１５５の流動を最小化することができる。
【００４９】
また、前記ハンドル１５０において外側棒１５５は、内側棒１５１の長さ方向に沿って伸縮するものであって、外側棒１５５の一側内面にはガイド突起１５６が設けられる。
【００５０】
したがって、前記ガイド突起１５６が内側棒１５１のガイド穴１５２の何れか一端に掛かることで、内側棒１５１上で外側棒１５５の流動を制限することができる。
【００５１】
また、前記外側棒１５５の一側に、第１長さ調節穴１５８及び第２長さ調節穴１５９が形成されている。
【００５２】
前記第１長さ調節穴１５８または第２長さ調節穴１５９のいずれか１つに内側棒１５１の固定突起１５３が嵌められることで、内側棒１５１上に外側棒１５５が固定される。
【００５３】
本発明では、前記第１長さ調節穴１５８及び前記第２長さ調節穴１５９の２つを例として説明しているが、前記長さ調節穴の数量はこれに限らず、ハンドル１５０の長さをさらに細分化して調節することで、さらに多くの長さ調節穴を形成することができる。
【００５４】
一方、前記外側棒１５５の他端の内側に補助突起１５７をさらに形成して、この補助突起１５７が内側棒１５１の内部ホーム１５４に嵌められると、外側棒１５５が内側棒１５１に結合された状態となって外側棒１５５の流動を最小化することができる。
【００５５】
次に、上記のような本発明による真空掃除機１００の使用について詳しく説明する。
【００５６】
まず、本発明による真空掃除機１００は、第１支持部１３０と第２支持部１４０との間のハンドル１５０を折り畳み状態、すなわち、ロッキング状態で使用することができる。
【００５７】
本発明において外側棒１５５の後方先端が安着される第２支持部１４０の安着ホーム１４１には、ストッパ１４２のノッチ部１４２ａが露出されており、安着ホーム１４１の外部に露出されたストッパ１４２のノッチ部１４２ａは図３Ａに示すように、安着ホーム１４１に安着される外側棒１５５のノッチホーム１５５ａに挿入される。
【００５８】
このように、前記外側棒１５５のノッチホーム１５５ａにストッパ１４２のノッチ部１４２ａが掛かる第２支持部１４０に外側棒１５５が結合した状態に固定されるので、第１支持部１３０と第２支持部１４０との間のハンドル１５０を折り畳み状態、すなわち、ロッキング状態に維持することができる。
【００５９】
これにより、使用者が座った姿勢で隣接する周辺を掃除する場合、すなわち本体１１０の移動範囲が小さい場合は、第１支持部１３０と第２支持部１４０との間のハンドル１５０をロッキングして把持しやすく簡便に使用することができる。
【００６０】
次に、本発明による真空掃除機１００は、図２に示すように、第１支持部１３０と第２支持部１４０との間のハンドル１５０を広げた状態、すなわち、ロッキング解除状態で使用することができる。
【００６１】
本発明において、第２支持部１４０に設けられたストッパ１４２のノッチ部１４２ａは、ボタン１４４の作動により外側棒１５５のノッチホーム１５５ａから分離される。
【００６２】
すなわち、図３Ｂに示すように、ボタン１４４を押してストッパ１４２のノッチ部１４２ａを外側棒１５５のノッチホーム１５５ａから分離させると、外側棒１５５の他端が第２支持部１４０の安着ホーム１４１からロッキング状態が解除されて上部に上げることができる。
【００６３】
このとき、本発明の内側棒１５１は、その一端が第１支持部１３０のホーム１３１にヒンジ１３２で締結され、外側棒１５５の他端は上部に持ち上げることができるため、ヒンジ１３２を中心としてハンドル１５０は本体１１０の後方に回動可能な状態となる。
【００６４】
ここで、外側棒１５５の第１長さ調節穴１５８に嵌められている固定突起１５３を押した状態で外側棒１５５を後方に引っ張ると、外側棒１５５は内側棒１５１上から後方に移動する。
【００６５】
したがって、図４Ａに示すように、内側棒１５１と外側棒１５５との全体区間が重なった状態から、図４Ｂに示すように、外側棒１５５が内側棒１５１の一部区間のみ重なった状態になってハンドル１５０の長さを長くすることができる。
【００６６】
また、内側棒１５１の固定突起１５３は、外側棒１５５の第２長さ調節穴１５９に嵌められるので、外側棒１５５は引っ張られた状態で内側棒１５１に固定される。
【００６７】
このように、掃除する範囲が広く、本体１１０の移動範囲を大きくする必要がある場合には、図２のように、前記第２支持部１４０からハンドル１５０のロッキング状態を解除してハンドル１５０の方向及び長さを調節することができるので、清掃機の使用範囲を広げることができるとともに、簡便に使用することができる。
【００６８】
上記のように、本発明による真空掃除機１００は、ハンドル１５０の一端が第１支持部１３０に回動可能に設けられ、他端が第２支持部１４０に脱着可能に設けられることで、使用者の身体条件や掃除環境に合わせてハンドル１５０の方向及び長さを調節することができる。これにより、ハンドル１５０を容易に把持して使用することができるので、ハンドル１５０を把持した状態で清掃機の使用範囲をされに拡大することができ、使用者の疲労を軽減しながら容易に清掃機を使用することができる。
【００６９】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は前述した説明によって限定されることはなく、特許請求の範囲に記載された事項によってのみ限定される。
【符号の説明】
【００７０】
１００    真空掃除機
１１０    本体
１３０    第１支持部
１３１    ホーム
１３２    ヒンジ
１４０    第２支持部
１４１    安着ホーム
１４２    ストッパ
１４２ａ    ノッチ部
１４３    ヒンジ
１４４    ボタン
１４５    支柱部
１５０    ハンドル
１５１    内側棒
１５２    ガイド穴
１５３    固定突起
１５４    内部ホーム
１５５    外側棒
１５５ａ    ノッチホーム
１５６    ガイド突起
１５７    補助突起
１５８    第１長さ調節穴
１５９    第２長さ調節穴
【図１】
2015006304.tif 000003
【図２】
2015006304.tif 000004
【図３Ａ】
2015006304.tif 000005
【図３Ｂ】
2015006304.tif 000006
【図４Ａ】
2015006304.tif 000007
【図４Ｂ】
2015006304.tif 000008